(57)【要約】      （修正有）【課題】整然と等しい間隔距離を隔ててイスを定位配列する連接装置を提供する。【解決手段】連接装置１Ａは束縛部材１１Ａ、少なくとも１個の固定部材、ゲート板１４Ａを有する。束縛部材１１Ａは相対する両側に設置する側壁１２Ａを有し、側壁の端部にはそれぞれ凸耳１３Ａを設置し、一方の凸耳には洞孔１３１Ａを設置する。束縛部材の両端の間には第一空間１Ｓ１と第二空間１Ｓ２を設置し、第一空間と第二空間の相同方向にはそれぞれ開口を有する。固定部材は束縛部材の洞孔１３１Ａに挿入して設置され、ゲート板の第一端は束縛部材のもう一方の凸耳１３Ａに枢接する。イスを配列させる時には、連接装置の第一空間と第二空間を利用し、隣り合うイスの前脚及び／或いは後脚をそれぞれ嵌合し、次にゲート板を束縛部材に対して回転させ、第一空間と第二空間の開口を閉鎖し、固定部材でゲート板の相対する第二端を固定する。【選択図】図１
0003202329.tif 000002
【実用新案登録請求の範囲】
【請求項１】
イスの定位の連接装置であって、束縛部材、固定部材、ゲート板を有し、
前記束縛部材は、相対する両側に設置する側壁を有し、前記両側の側壁の端部には、それぞれ凸耳を設置し、一方の凸耳には、洞孔を設置し、前記束縛部材の両端の間には、第一空間と第二空間を設置し、しかも前記第一空間と前記第二空間の相同方向には、それぞれ開口を有し、
前記固定部材は、前記束縛部材の洞孔に挿入して設置され、
前記ゲート板の第一端は、前記束縛部材のもう一方の凸耳に枢接され、前記ゲート板は、前記束縛部材に対して回転し、前記第一空間と前記第二空間の開口が閉鎖されると、前記ゲート板の相対する第二端は、前記固定部材により固定されることを特徴とするイスの定位の連接装置。
【請求項２】
前記束縛部材は、棒を湾曲して形成し、前記２個の凸耳、前記第一空間、前記第二空間を有することを特徴とする請求項１に記載のイスの定位の連接装置。
【請求項３】
前記第一空間と前記第二空間とは、前記束縛部材のその相対する両端に近いＵ形状に形成することを特徴とする請求項２に記載のイスの定位の連接装置。
【請求項４】
前記ゲート板の第二端の一側辺には、第二凹溝を設置し、しかも前記固定部材は、ネジで、前記第二凹溝の幅は、前記ネジのボルト部の外径より大きく、これにより前記ボルト部は、前記第二凹溝内に進入し、前記ボルト部は、ナットに対応して螺合されることを特徴とする請求項３に記載のイスの定位の連接装置。
【請求項５】
前記イスの定位の連接装置は、定位部材をさらに有し、
前記定位部材は、前記束縛部材の両側の側壁の間に固定して設置され、前記定位部材は、相対する両側に設置する第一壁と第二壁を有し、前記第一壁の水平方向に延伸する長さは、前記両側の側壁の水平方向に延伸する長さより長く、前記第一壁の上端には、第一凹溝を設置し、前記第一壁と隣り合う一方の側壁との間には、前記第一空間を形成し、前記第二壁と隣り合うもう一方の側壁との間には、前記第二空間を形成し、
前記ゲート板の第一端は、前記束縛部材のもう一方の凸耳に枢接され、前記ゲート板の相対する第二端側辺には、前記凹溝に対応する第二凹溝、及び前記洞孔に対応するネジ孔を設置し、前記ゲート板は、前記束縛部材に対して回転し、これにより前記第一凹溝と前記第二凹溝とが、完全に相互に嵌合すると、前記洞孔と前記ネジ孔とは直線対応を形成することを特徴とする請求項１に記載のイスの定位の連接装置。
【請求項６】
前記束縛部材は、一体に湾曲成型するコの字形で、前記２個の側壁を形成し、
前記２個の側壁の端部には、一体に前記２個の凸耳を一体に湾曲成型することを特徴とする請求項５に記載のイスの定位の連接装置。
【請求項７】
前記定位部材は、コの字形に一体に湾曲成型し、相対する両側に位置する前記第一壁と前記第二壁を有し、
前記第一壁の水平方向に延伸する長さは、前記第二壁の水平方向に延伸する長さより長いことを特徴とする請求項５に記載のイスの定位の連接装置。
【考案の詳細な説明】
【技術分野】
【０００１】
本考案はイスの定位の連接装置に関し、特に複数のイスの配列後固定に用い、イスの配列を整然とし、しかも固定の間隔距離を有する定位の連接装置に関する。
【背景技術】
【０００２】
一般の大型会議室、或いはイベント会場、或いは球場の観客席では、間隔を開けて配列する方式で、複数の折り畳みイスを数列並べて使用する。イスを整然と配列するため、折り畳みイスを独立させて置いた後、しばしば嵌合して繋げる。けれども、折り畳みイスを嵌合してまとめると、残された間隔距離は非常に小さい。もし、太った人が並んで座ったなら、非常に窮屈である。この際には、イスを一脚ずつ配列するしかないが、イス間に適当な間隔距離を持たせようとすれば、全体的な配列が乱れる状況が発生する。
【０００３】
特許文献１は、折り畳みイス間隔距離の拡張装置を開示する。それは、枠型本体を有する。枠型本体には、第一係合柱、螺合固定部材、頚縮段を有する孔を設置する。別に、折り畳みイスの前脚フレーム上に、頚縮段を有する孔の板体を溶接して固定する必要がある。さらに、もう一つの折り畳みイスの前脚フレーム上には、第二係合柱を設置する。折り畳みイスの拡張連接を行う際には、枠型本体上の第一係合柱を、板体上の孔を通して、頚縮段に入れる。さらに、螺合固定部材を回し、その端面を前脚フレーム表面に緊密に接触させ、折り畳みイスの連結を完成させる。次に、第二係合柱を有する折り畳みイスを取り、第二係合柱に枠型本体上の孔を通過させ、孔の頚縮段に緊密に入れる。こうして、この折り畳みイスを嵌合方式で本体上に連結し、数脚の折り畳みイスの連結を完成し、しかも各折り畳みイスの間には間隔距離が残される。
しかし、特許文献１に開示する構造では、枠型本体が主部材として必要である他、折り畳みイスの頚縮段を有する孔の板体を溶接により設置する必要があり、製造プロセスが煩雑で、製造コストが高くなってしまう。
【先行技術文献】
【特許文献】
【０００４】
【特許文献１】台湾実用新案第Ｍ３２８２３２号明細書
【考案の概要】
【考案が解決しようとする課題】
【０００５】
本考案の主要な目的は、構造がシンプルで、折り畳み式イス或いは他の形式のイスを直接連接定位でき、イスを連接するために、イスに何らかの加工を施す必要がない定位の連接装置に関する。
【課題を解決するための手段】
【０００６】
本考案によるイスの定位の連接装置は、束縛部材、少なくとも１個の固定部材、ゲート板を有する。
該束縛部材は、相対する両側に設置する側壁を有し、該両側の側壁の端部には、それぞれ凸耳を設置し、一方の凸耳には、洞孔を設置する。
該束縛部材の両端の間には、第一空間と第二空間を設置し、しかも該第一空間と第二空間の相同方向には、それぞれ開口を有し、該固定部材は、該束縛部材の洞孔に挿入して設置され、該ゲート板の第一端は、該束縛部材のもう一方の凸耳に枢接される。
【０００７】
本考案によるイスの定位の連接装置において、束縛部材の第一技術手段は、金属を湾曲して形成し、該２個の凸耳、該第一空間、該第二空間を有する。
【０００８】
本考案によるイスの定位の連接装置の最適実施形態において、該束縛部材の該第一空間と第二空間は、該束縛部材の相対する両端に近いＵ形状に形成する。
【０００９】
本考案によるイスの定位の連接装置の第一技術手段において、該ゲート板の第二端の片側辺には、第二凹溝を設置し、しかも該固定部材は、ネジで、該第二凹溝の幅は、該ネジのボルト部の外径より大きい。
これにより、該ボルト部は、該第二凹溝内に進入し、該ボルト部は、ナットに対応して螺合される。
【００１０】
本考案によるイスの定位の連接装置の第二技術手段において、金属を湾曲させて成型するコの字形の束縛部材は、該２個の側壁を形成し、該２個の側壁の端部には、該２個の凸耳を一体に湾曲成型する。
【００１１】
本考案によるイスの定位の連接装置の第二技術手段においては、製造の便のため、本考案の定位部材は、コの字形に一体に湾曲成型し、相対する両側の該第一壁と該第二壁を有し、該第一壁の水平方向に延伸する長さは、該第二壁の水平方向に延伸する長さより大きい。
【００１２】
本考案によるイスの定位の連接装置において、束縛部材は実際の必要に応じて、異なる長さに設計でき、これにより連接定位後の並んだイスは異なる間隔距離を有する。
【考案の効果】
【００１３】
本考案によるイスの定位の連接装置において、定位の連接装置は２個以上のイスを並べて配列させる時には、該定位の連接装置の第一空間と第二空間を利用し、隣り合う２個のイスの前脚及び／或いは後脚をそれぞれ嵌合し、次にゲート板を束縛部材に対して回転させ、第一空間と第二空間の開口を閉鎖し、及び固定部材を利用し、ゲート板の相対する第二端を固定し、こうして並んだイスは整然と配列され、しかも等しい間隔距離を隔てて配列される。
【００１４】
本考案によるイスの定位の連接装置は、異なるサイズの定位の連接装置を使用し、並んで配列されるイスの前脚或いは後脚を連接し、これにより複数のイスを直線状或いは弧状に配列することができる。
【図面の簡単な説明】
【００１５】
【図１】本考案による定位の連接装置第一実施形態の立体図である。
【図２】図１のゲート板閉鎖後の立体状態図である。
【図３】本考案第一実施形態の定位の連接装置を２個のイスの前脚を連接するために用いる様子の使用模式図である。
【図４】本考案第一実施形態の定位の連接装置を２個のイスの後脚を連接するために用いる様子の使用模式図である。
【図５】本考案第一実施形態の定位の連接装置を２個のイスの前、後脚を連接するために用い、これにより複数のイスが直線配列を形成する様子の使用模式図である。
【図６】本考案第一実施形態の異なる長さの定位の連接装置を２個のイスの前、後脚を連接するためにそれぞれ用い、これにより複数のイスが弧状配列を形成する様子の使用模式図である。
【図７】本考案による定位の連接装置第二実施形態の立体図である。
【図８】図７のゲート板閉鎖後の立体状態図である。
【図９】本考案による定位の連接装置第三実施形態の立体図である。
【図１０】図９のゲート板閉鎖後の立体状態図である。
【図１１】本考案第二実施形態の定位の連接装置を２個のイスの前脚を連接するために用いる様子の使用模式図である。
【図１２】本考案第三実施形態の定位の連接装置を２個のイスの後脚を連接するために用いる様子の使用模式図である。
【図１３】本考案第二実施形態の定位の連接装置を２個のイスの前、後脚を連接するために用い、これにより複数のイスが直線配列を形成する様子の使用模式図である。
【図１４】本考案第二、三実施形態の定位の連接装置を２個のイスの前、後脚を連接するためにそれぞれ用い、これにより複数のイスが弧状配列を形成する様子の使用模式図である。
【考案を実施するための形態】
【００１６】
以下に本考案の技術内容、構造特徴、達成する目的及び作用効果について、例を挙げ並びに図面を組み合わせて詳細に説明する。
【００１７】
図１は、本考案による定位の連接装置１Ａ第一実施形態の立体図で、束縛部材１１Ａ、ゲート板１４Ａ、固定部材を有する。
束縛部材１１Ａは、適当な厚さの細長い形状の金属板を一体に湾曲させて成型し、これにより相対する両端に近いＵ形第一空間１Ｓ１と第二空間１Ｓ２をそれぞれ有する。第一、二空間１Ｓ１、１Ｓ２は、自由端に向かう片側はそれぞれ側壁１２Ａである。両側の側壁１２Ａの端部はさらに、湾曲して凸耳１３Ａを成型する。一方の凸耳１３Ａには、貫通した洞孔１３１Ａを設置し、もう一方の凸耳１３Ａは、ピボット１４１Ａにより、ゲート板１４Ａの一端に枢接される。
【００１８】
固定部材は好ましくは、手動で便利に回転操作が可能なネジ１６Ａで、ネジ１６Ａのボルト部１６Ａ１は、束縛部材１１Ａの洞孔１３１Ａを通過する。しかも、ボルト部１６Ａ１は、ナット１６Ａ２に対応して螺合される。
【００１９】
本考案のゲート板１４Ａは、適当な厚さを備える細長い形状の金属板を真っ直ぐな形状に成型する。その第一端は、ピボット１４１Ａを利用し、束縛部材１１Ａの凸耳１３Ａに枢接される。ゲート板１４Ａの第二端側辺の適当な位置には、第二凹溝１４２Ａを設置する。しかも、第二凹溝１４２Ａの幅は、ネジ１６Ａのボルト部１６Ａ１の外径より大きい。これにより、ボルト部１６Ａ１は、第二凹溝１４２Ａ内に進入する。
ゲート板１４Ａは、ピボット１４１Ａを円心として、束縛部材１１Ａに対して回転する。これにより、ゲート板１４Ａは第一空間１Ｓ１と第二空間１Ｓ２の開口を完全に閉鎖すると、第二凹溝１４２Ａと洞孔１３１Ａは直線対応する。こうして、同時にボルト部１６Ａ１を第二凹溝１４２Ａ内に入れることができ、ネジ１６Ａを締め、ゲート板１４Ａを束縛部材１１Ａに固定する（図２参照）。
ネジ１６Ａが緩められると、ゲート板１４Ａは、束縛部材１１Ａに対して回転して開く。これにより、束縛部材１１Ａの第一、二空間１Ｓ１、１Ｓ２はイスの脚を入れる開口を生じる。
【００２０】
図３に示す通り、並んだイス２を連接定位する必要がある時には、まず図１に示す定位の連接装置１Ａを採用し、ゲート板１４Ａが束縛部材１１Ａに対して開いた状態下で、２個の並んだイス２の前脚２１を、定位の連接装置１Ａの第一空間１Ｓ１と第二空間１Ｓ２内にそれぞれ入れる。次に、束縛部材１１Ａに設置するネジ１６Ａのボルト部１６Ａ１が、第二凹溝１４２Ａ内に入るまで、ゲート板１４Ａを束縛部材１１Ａに対して回転させる。これにより、ゲート板１４Ａは、２個の前脚２１の後に位置し、ネジ１６Ａを締め、ゲート板１４を束縛部材１１Ａに固定する。同時に、２個のイス２の並列する２個の前脚２１は、束縛部材１１Ａとゲート板１４Ａにより包囲及び固定される。
【００２１】
本考案の束縛部材１１Ａは、イスの脚の間隔距離のサイズの違いに応じて、対応する長さに設計することができる。図６に示す通り、比較的大きいサイズの定位の連接装置１Ａを設計し、ゲート板１４Ａが束縛部材１１Ａに対して開いた状態下で、２個の並んだイス２の後脚２２を、定位の連接装置１Ａの第一空間１Ｓ１と第二空間１Ｓ２内にそれぞれ入れる。次に、ボルト部１６Ａ１が第二凹溝１４２Ａ内に入るまで、ゲート板１４Ａを束縛部材１１Ａに対して回転させ、ネジ１６Ａを締める。こうして、ゲート板１４Ｂを２個の後脚２２の前面に固定する。同時に、２個のイス２の並列した２個の後脚２２は、束縛部材１１Ａとゲート板１４Ａに包囲及び固定される。これにより、並んだイスの移動を回避し、同時に複数のイスを一直線に配列して定位することができる（図５参照）。
【００２２】
当然、本考案の定位の連接装置１Ａは、必要に応じて、様々なサイズに設計し、複数のイスを、異なる弧度の弧線に配列することができる。例えば、イスの前脚に組み合わせる定位の連接装置１Ａが比較的小さく、イスの後脚に組み合わせる定位の連接装置が比較的大きい時には、複数のイス２を固定後、イス前面が円心方向に向かう弧形に配列することができる（図６参照）。
或いは、イスの前脚に組み合わせる定位の連接装置１Ａが比較的大きく、イスの後脚に組み合わせる定位の連接装置が比較的小さい時には、複数のイス２を固定後、イスの後面が円心方向に向かい弧形に配列することができる（図示なし）。
【００２３】
図７に示す本考案第二実施形態の定位の連接装置１Ｂは、束縛部材１１Ｂ、定位部材１５Ｂ、ゲート板１４Ｂを有する。束縛部材１１Ｂは、適当な厚さを備える細長い形状の金属板を湾曲させてコの字形に成型し、これにより相対する両側に位置する側壁１２Ｂを有する。両側の側壁１２Ｂの端部はさらに、湾曲して凸耳１３Ｂを成型する。一方の凸耳１３Ｂには、貫通した洞孔１３１Ｂを設置し、もう一方の凸耳１３Ｂは、ピボット１４１Ｂにより、ゲート板１４Ｂの一端に枢接される。
【００２４】
定位部材１５Ｂは、適当な厚さを備える細長い形状の金属板を湾曲させてコの字形に成型し、これにより相対する両側に位置する第一壁１５１Ｂと第二壁１５２Ｂを有する。第一壁１５１Ｂの水平方向に延伸する長さは、第二壁１５２Ｂ及び側壁１２Ｂの水平方向に延伸する長さより長く、しかも第一壁１５１Ｂの上辺には、第一凹溝１５３Ｂを設置する。定位部材１５Ｂは、束縛部材１１Ｂの両側の側壁１２Ｂの間に固定されて設置される。
例えば、リベット１１１Ｂを利用し、定位部材１５Ｂと束縛部材１１Ｂとを一体に固定する。また、溶接技術を採用し、定位部材１５Ｂを、束縛部材１１Ｂの両側の側壁１２Ｂの間に固定することができる。
定位部材１５Ｂの長さは、束縛部材１１Ｂの長さより短く、これにより第一壁１５１Ｂと隣り合う一方の側壁１２Ｂとの間には、第一空間１Ｓ１を形成し、しかも第二壁１５２Ｂと隣り合うもう一方の側壁１２Ｂとの間には、第二空間１Ｓ２を形成する。
【００２５】
本考案のゲート板１４Ｂは、適当な厚さを備える細長い形状の金属板を真っ直ぐな形状に成型する。第一端は、ピボット１４１Ｂを利用し、束縛部材１１Ｂの凸耳１３Ｂに枢接する。ゲート板１４Ｂの相対する第二端側辺には、第一凹溝１５３Ｂに対応する第二凹溝１４２Ｂ、及び洞孔１３１Ｂに対応するネジ孔１４３Ｂを設置する。
ゲート板１４Ｂは、ピボット１４１Ｂを円心として、束縛部材１１Ｂに対して回転する。これにより、第一凹溝１５３Ｂと第二凹溝１４２Ｂとが、完全に相互に嵌合すると、洞孔１３１Ｂとネジ孔１４３Ｂとは、直線対応し、こうしてネジ１６Ｂを、洞孔１３１Ｂに通し、ネジ孔１４３Ｂに挿入し、ゲート板１４Ｂは束縛部材１１Ｂに固定される（図８参照）。
当然、一時的にイスを固定する必要がある場合には、ゲート板１４Ｂの第二凹溝１４２Ｂと第一凹溝１５３Ｂを相互に嵌合するだけで、ネジを用いる必要はない。
第一凹溝１５３Ｂが第二凹溝１４２Ｂを完全に離脱すると、ゲート板１４Ｂは束縛部材１１Ｂに対して開かれ、これにより束縛部材１１Ｂはイスの脚を入れる開口を生じる。
【００２６】
図９は本考案第三実施形態の定位の連接装置１Ｃの立体図である。それは、図７に示す構造と同様の構造を有するが、図９に示す第三実施形態のサイズは、図７に示す第二実施形態のサイズより大きい。
図９に示す構造は、束縛部材１１Ｃ、定位部材１５Ｃ、ゲート板１４Ｃを有する。束縛部材１１Ｃは、適当な厚さを備える細長い形状の金属板を湾曲させてコの字形に成型し、これにより相対する両側に位置する側壁１２Ｃを有する。両側の側壁１２Ｃの端部はさらに、湾曲して凸耳１３Ｃを成型する。一方の凸耳１３Ｃには、貫通した洞孔１３１Ｃを設置し、もう一方の凸耳１３Ｃは、ピボット１４１Ｃによりゲート板１４Ｃの一端に枢接される。
【００２７】
定位部材１５Ｃは、適当な厚さを備える細長い形状の金属板を湾曲させてコの字形に成型し、これにより相対する両側に位置する第一壁１５１Ｃと第二壁１５２Ｃを有する。第一壁１５１Ｃの水平方向に延伸する長さは第二壁１５２Ｃ及び側壁１２Ｃの水平方向に延伸する長さより長く、しかも第一壁１５１Ｃの上辺には、第一凹溝１５３Ｃを設置する。
定位部材１５Ｃは、束縛部材１１Ｃの両側の側壁１２Ｃの間に固定されて設置される。例えば、リベット１１１Ｃを利用し、定位部材１５Ｃと束縛部材１１Ｃとを一体に固定し、また溶接技術を採用し、定位部材１５Ｃを、束縛部材１１Ｃの両側の側壁１２Ｃの間に固定する。
定位部材１５Ｃの長さは束縛部材１１Ｃの長さより短く、これにより第一壁１５１Ｃと隣り合う一方の側壁１２Ｃとの間には、第一空間１Ｓ１を形成し、しかも第二壁１５２Ｃと隣り合うもう一方の側壁１２Ｃとの間には、第二空間１Ｓ２を形成する。
【００２８】
本考案のゲート板１４Ｃは、適当な厚さを備える細長い形状の金属板を真っ直ぐな形状に成型する。第一端は、ピボット１４１Ｃを利用し、束縛部材１１Ｃの凸耳１３Ｃに枢接される。
ゲート板１４Ｃの相対する第二端側辺には、第一凹溝１５３Ｂに対応する１５３Ｃの第二凹溝１４２Ｃ、及び洞孔１３１Ｃに対応するネジ孔１４３Ｃを設置する。
ゲート板１４Ｃは、ピボット１４１Ｃを円心とし、束縛部材１１Ｃに対して回転する。これにより、第一凹溝１５３Ｃと第二凹溝１４２Ｃとが、完全に相互に嵌合すると、洞孔１３１Ｃとネジ孔１４３Ｃとは、直線対応し、こうしてネジ１６Ｃを洞孔１３１Ｃに通し、ネジ孔１４３Ｃに挿入し、ゲート板１４Ｃを束縛部材１１Ｃに固定することができる（図１０参照）。
当然、一時的にイスを固定する必要がある場合には、ゲート板１４Ｃの第二凹溝１４２Ｃと第一凹溝１５３Ｃを相互に嵌合するだけで、ネジを用いる必要はない。
【００２９】
折り畳み式イスの前脚と後脚とは、相互に枢接され交差する形態を呈するため、２個の前脚の水平方向の距離は短く、後脚の水平方向の距離は長い。よって、第二、第三実施形態の異なるサイズの定位の連接装置１Ｂ或いは１Ｃを利用し、並んだイスの前脚と後脚をそれぞれ連接する時、良好な定位効果を得ることができる。
【００３０】
図１１に示す通り、並んだイス２を定位の連接にする必要がある時には、まず図７に示す小サイズの定位の連接装置１Ｂを利用し、ゲート板１４Ｂが束縛部材１１Ｂに対して開いた状態下で、２個並んだイス２の前脚２１を、定位の連接装置１Ｂの第一空間１Ｓ１と第二空間１Ｓ２内にそれぞれ入れる。次に、第二凹溝１４２Ｂが第一凹溝１５３Ｂ内に入るまで、ゲート板１４Ｂを束縛部材１１Ｂに対して回転させる。これにより、ゲート板１４Ｂは、２個の前脚２１の後に位置し、この時、洞孔１３１Ｂはネジ孔１４３Ｂに直線対応する。
よって、長期的にイスを固定する時には、さらにネジ１６Ｂを洞孔１３１Ｂに通して、ネジ孔１４３Ｂに螺合することができ、ゲート板１４Ｂを束縛部材１１Ｂに固定することができる。同時に、２個のイス２の並列した２個の前脚２１は、束縛部材１１Ｂとゲート板１４Ｂにより包囲及び固定される。
【００３１】
同様に、図１２に示す通り、図９に示す比較的大きいサイズの定位の連接装置１Ｃを、ゲート板１４Ｃが束縛部材１Ｃに対して開いた状態下で、２個の並んだイス２の後脚２２を、定位の連接装置１Ｃの第一空間１Ｓ１と第二空間１Ｓ２内にそれぞれ入れる。次に、第二凹溝１４２Ｃが第一凹溝１５３Ｃ内に嵌入するまで、ゲート板１４Ｃを束縛部材１１Ｃに対して回転させ、ゲート板１４Ｃを２個の後脚２２の前面に位置させる。この時、洞孔１３１Ｃはネジ孔１４３Ｃに直線対応する。こうして、ネジ１６Ｃを洞孔１３１Ｃに通し、ネジ孔１４３Ｃに螺合し、ゲート板１４Ｃを束縛部材１１Ｃに固定する。同時に、２個のイス２の並列した２個の後脚２２は、束縛部材１１Ｃとゲート板１４Ｃにより包囲及び固定される。こうして、並んだイスの移動を回避し、同時に複数のイスを一直線に配列して定位することができる（図１３参照）。
【００３２】
当然、本考案の定位の連接装置１Ｂと１Ｃは、必要に応じて、様々なサイズに設計し、複数のイスを、異なる弧度の弧線に配列することができる。例えば、イスの前脚に組み合わせる定位の連接装置１Ｂが比較的小さく、イスの後脚に組み合わせる定位の連接装置１Ｃが比較的大きい時には、複数のイス２を固定後、イス前面が円心方向に向かう弧形に配列することができる（図１４参照）。
【００３３】
或いは、イスの前脚に組み合わせる定位の連接装置１Ｂが比較的大きく、イスの後脚に組み合わせる定位の連接装置１Ｃが比較的小さい時には、複数のイス２を固定後、イスの後面が円心方向に向かい弧形に配列することができる（図示なし）。
【００３４】
総合すると、本考案は確実に予期された作用効果と目的を達成し、並びにこの技術に習熟した者がこれをもとに実施できるほどに詳細に説明されたが、以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００３５】
１Ａ、１Ｂ、１Ｃ  定位の連接装置
１１Ａ、１１Ｂ、１１Ｃ  束縛部材
１１１Ｂ、１１１Ｃ  リベット
１２Ａ、１２Ｂ、１２Ｃ  側壁
１３Ａ、１３Ｂ、１３Ｃ  凸耳
１３１Ａ、１３１Ｂ、１３１Ｃ  洞孔
１４Ａ、１４Ｂ、１４Ｃ  ゲート板
１４１Ａ、１４１Ｂ、１４１Ｃ  ピボット
１４２Ａ、１４２Ｂ、１４２Ｃ  第二凹溝
１４３Ｂ、１４３Ｃ  ネジ孔
１５Ｂ、１５Ｃ  定位部材
１５１Ａ、１５１Ｂ、１５１Ｃ  第一壁
１５２Ａ、１５２Ｂ、１５２Ｃ  第二壁
１５３Ｂ、１５３Ｃ  第一凹溝
１６Ａ、１６Ｂ、１６Ｃ  ネジ
１６Ａ１  ボルト部
１６Ａ２  ナット
１Ｓ１  第一空間
１Ｓ２  第二空間
２  イス
２１  前脚
２２  後脚
【図１】
0003202329.tif 000003
【図２】
0003202329.tif 000004
【図３】
0003202329.tif 000005
【図４】
0003202329.tif 000006
【図５】
0003202329.tif 000007
【図６】
0003202329.tif 000008
【図７】
0003202329.tif 000009
【図８】
0003202329.tif 000010
【図９】
0003202329.tif 000011
【図１０】
0003202329.tif 000012
【図１１】
0003202329.tif 000013
【図１２】
0003202329.tif 000014
【図１３】
0003202329.tif 000015
【図１４】
0003202329.tif 000016